(57)【要約】【解決手段】色を調整する個人的な使用装置であって、この装置は、個人使用物の色を検出する色検出装置（１６）と、検出された色に基づいた色に変化するような、個人使用アイテムの色変化材料（１８）と、を備えている。【選択図】なし【特許請求の範囲】
【請求項１】
個人使用アイテムの色を調和させる方法であって、
個人使用物の色を検出する段階と、
検出された色に基づいた色に変化するように、個人使用アイテムの材料の色の変化を活性化させる段階と、
を備えていることを特徴とする方法。
【請求項２】
個人使用アイテムの環境の変化の後に、色変化材料の視覚表示特性を変化させる段階を備えている、
請求項１に記載の方法。
【請求項３】
前記環境の変化が、明るい環境から暗い環境への移行である、
請求項２に記載の方法。
【請求項４】
色変化材料の視覚表示特性の変化は、強度の変化の段階を備えている、
請求項２に記載の方法。
【請求項５】
前記環境の変化は、暖かい環境から、比較的冷たい環境への移行である、
請求項２に記載の方法。
【請求項６】
個人使用物の色を検出する段階が、
個人使用アイテムを、個人使用物に近接させて配置する段階と、
個人使用物の色を、色センサで検出する段階と、を備えている、
請求項１に記載の方法。
【請求項７】
活性化させる段階は、色変化材料の色について、色選択をユーザに提供する段階を備えている、
請求項１に記載の方法。
【請求項８】
活性化させる段階は、個人使用アイテムに機能的に配置された、複数のＲＧＢのＬＥＤの３個組を活性化させる段階を備えている、
請求項１に記載の方法。
【請求項９】
色を調整する個人的な使用装置であって、この装置が、
個人使用物の色を検出するように構成された色検出装置（１６）と、
検出された色に基づいた色に変化するように構成された、個人使用アイテムの色変化材料（１８）と、を備えている、
ことを特徴とする装置。
【請求項１０】
個人使用アイテムの環境の変化を検出するように構成された検出装置（１２，４０）を備え、前記色変化材料（１８）は、検出された環境の変化に応答して、視覚表示特性を変化させるように構成されている、
請求項９に記載の装置。
【請求項１１】
前記色変化材料（１８）の視覚表示特性は、強度の変化を備えている、
請求項９に記載の装置。
【請求項１２】
前記検出装置（１２，４０）は、暖かい環境から、比較的冷たい環境への移行を検出するように構成されている、
請求項１０に記載の装置。
【請求項１３】
色変化材料の色について、色選択をユーザに提供するように構成された、ユーザインターフェース（１２，４０）を備えている、
請求項９に記載の装置。
【請求項１４】
前記色変化材料（１８）は、個人使用アイテムに機能的に配置された、複数のＲＧＢのＬＥＤの３個組を備えている、
請求項９に記載の装置。
【請求項１５】
眼鏡（３０）を備えている、
請求項９に記載の装置。
【請求項１６】
ＰＤＡ、携帯電話、及びラップトップのうちの１つから構成されている、
請求項９に記載の装置。
【請求項１７】
色検出装置（１６）と色変化材料（１８）とに機能的に接続された制御装置（１４）を備え、制御装置（１４）は、起動時に、最後に選択された色を呼び出し、色変化材料を制御して、最後に選択された色に変化させるように構成されている、
請求項９に記載の装置。
【発明の詳細な説明】
【技術分野】
【０００１】
本発明のシステムは、人が着用又は身につける物品に関し、詳細には、これらの物品の色の調和に関し、より詳しくは、眼鏡の色を人が着ている衣服に調和させることに関する。
【背景技術】
【０００２】
カラーコーディネートは、家の装飾だけでなく、人の外観でも重要な観点である。一般的に、選択する人は、靴、ドレス、シャツ、コート、帽子、ハンドバッグなどの個人使用物の間で、適当に色を合わせて着用する。いくつかの個人使用アイテムにおいては、この色を選択できる能力は限られている。例えば、携帯電話は、交換可能なカバープレートを有し、その結果、人は、別の個人使用アイテムと合った適当な色の利用可能なカバープレートを持っていなければならない。さらに、たとえ正しい色が利用可能であるとしても、携帯電話の色を変えるのに、余分な努力が必要である。個人使用アイテムを合わせることは、サングラス又はその他のタイプの眼鏡など、人が、利用可能な色が異なる多数の物品を持つことを必要とする。いくつかの眼鏡は、異なるレベルの太陽光にさらされると、シェードが変化するが、色は変化しない。
【０００３】
色を変化させる能力は、代表的に、複雑な薬品及び／又は複雑な電子システムを必要とし、それらは以下の文献に例示され、それらのすべてをここで参照によって完全に引用する。
【０００４】
国際公開第ＷＯ ０３／０４８８５２号公報は、自動車又は織物に適用される、カラーセルを開示している。カラーセルは、２つの電極層の間にエレクトロクロミック材料の層を有し、電子的に制御されて、フォトディテクタのアレイによって検出された周囲の色に基づいて、色を変化させる。従って、このシステムは、色を変化させて、環境の色に調整する。
【０００５】
色を変化させる別のシステムは、１９９３年３月１８日の欧州特許出願第９３３０２０６７．９号明細書に開示されている。このシステムにおいては、電話のハウジングなどの装置の色がカバーされている。エレクトロクロミック材料である、電子的にスイッチ可能な光変調材料が、２つの導体層の間に配置されて、可変電圧源に接続される。適切な電圧が印加されると、変調材料は透明になり、この層の下層にある色が見えるようになるが、色は別の具合では不透明であり、変調材料の顔料の色である。３つのグループの、赤、緑、及び青の帯を組み合わせることで、様々な色が示される。所望の帯を透明にするために、電圧源が、それぞれの色の帯に別々に適用される。選択されたやり方で電圧を印加することで、例えば、電話カバーは、呼び出しに対して赤くなる。この装置の用途は、電話カバー及び装置に取り付けられた腕輪として知られている。
【０００６】
１９９８年９月１１日の韓国特許出願第１０１０９９８００３７５１８号は、“カメレオンポケットベル”を開示しており、電圧源に接続された抵抗器で熱クロミック材料を加熱して、例えば、バッテリーレベルを表示する。この装置は、環境の色に対して応答するものではない。
【０００７】
１９９４年２月２日にＢｌａｃｋらに発行された米国特許第５，１８４，１５６号明細書は、特別な眼鏡を開示しており、色の切替可能なレンズに電子回路を取り付けて、特定の波長の放射が眼鏡を通り抜けるのを防止している。ガラス板は、導電層と、色偏光子と、整列層と、中立偏光子と、液晶層とから構成されている。色切替可能なレンズに電圧を印加することで、入射する放射に対して、レンズのスペクトル伝達特性を変化させることができる。
【０００８】
２００４年８月１９日に、Ｌａｕｒｉｋｋａらに発行された、米国特許第６，６０８，９９６号明細書は、携帯電話などの装置の色を、受けた情報に基づいて変化させるための手段を開示している。特許は、有色の粒子が入ったマイクロカプセルを有する電子インクを使用している。有色の粒子は帯電しており、その結果、外部電圧の印加によって、粒子は選択的にカプセルの上部に移動して、粒子の色が見える。このシステムは、表示された色を用いて、ユーザに、電話の呼び出しなどの情報を表示する手段として使用される。
【０００９】
２００５年５月３日に、Ｄｏｗｌｉｎｇらに発行された、米国特許第６，８８８，３２２号明細書は、センサ、インターフェース入力、又はその他の信号に基づいて、コンピュータハウジングなどの装置のエンクロージャの色を変化させる装置及び方法を開示している。色が異なる１又は複数のＬＥＤが、装置に取り付けられて、特許に係る制御装置で駆動されて、所望の色の変化を生成する。
【００１０】
２００５年２月２４日の米国公開特許第ＵＳ２００５／００４０７７４号公報は、例えば、ＬＥＤを使用して、白色照明の状態を発生及び変調させる方法及び装置を開示しているこの特許は、オフィス、展示室などに存在する環境色に関する。目的物の色は変化しない。
【００１１】
２００３年８月２３日の欧州特許出願ＥＰ １４６２７１１号明細書は、化粧用照明又はリビングルームの照明としての動作に使用するための、色温度調整可能なＬＥＤ光源である、ＬＥＤ照明装置を開示している。
【発明の開示】
【発明が解決しようとする課題】
【００１２】
本発明の目的は、従来技術におけるこれらの及びその他の不都合を解消することである。
【００１３】
ファッションステートメントに向けられたユーザの希望に基づいて、目的物の色を変化させる手段を求める要望が存在している。本発明のシステムは、個人使用アイテムの色を、別の個人使用物の色に合わせて調整するための方法及びシステムを提供する。
【課題を解決するための手段】
【００１４】
本発明のシステムは、個人使用アイテムの色を変化させる手段を提供し、色を変化させることで、個人使用物と色を合わせ、そのために、個人使用物を選択し、個人使用アイテムを、個人使用物に近接させて配置する。本発明のシステムは、さらに、色を変化させる手段によって、個人使用アイテムの色を、別の個人的に使用する目的物の色と色を合わせるシステムを提供し、ユーザは、個人使用アイテムのインターフェースを介して、個人使用アイテムの色を選択する。本発明のシステムは、色選択装置及び方法を提供し、シャツ、コート、ドレス、帽子、ズボン、及び靴などの個人使用物と、携帯電話、ＰＤＡ、携帯電話、ラップトップ、眼鏡などの個人使用アイテムとの色を合わせる。１つの実施形態においては、本発明によるシステムは、色選択装置及び方法を提供し、これは、ＬＥＤ、熱クロミック材料、電子インク、及び電子クロミック材料を含むような色変化手段を使用している。
【００１５】
本発明のシステムは、個人使用アイテムに組み込まれた色選択装置によって、個人使用物と、個人使用アイテムとの色を合わせることに関する。例えば、個人使用物は、“緑”のドレスであり、個人使用アイテムは、サングラスである。本発明のシステムの実施形態によれば、サングラスは、その内部に組み込まれた、色選択装置を有しており、これは、色変化可能な材料、電源、電子回路、色センサ、及びユーザインターフェースを備えている。ユーザインターフェースを介して、ユーザは電子回路を起動させ、サングラスの色計画を選択する。ユーザは、例えば、ドレスに合わせるために、黄色など、ドレスの緑色以外の色を選択することを求めることがある。インターフェースを介した適切な入力によって、この色は選択されるが、ユーザは、個人使用物と色を合わせるために、色センサを頼りにしてもよい。従って、色選択装置は、色センサを使用して、サングラスの色を緑のドレスに合わせる。さらに別の実施形態によれば、所定の時間間隔の後に、色選択装置は、個人使用アイテムの色を維持する機能を除いて、部分的にオフになる。別の実施形態においては、ある種の環境的な条件がさらにトリガして、所定の時間の後に、色選択装置をオフにする。例えば、個人使用アイテムを、ポケット、グローブボックス、引出しなど、暗い囲みの中に配置すると、電力消費を最小化する目的のために、色選択装置はオフになる。
【００１６】
以下、例示的な実施形態について説明し、添付図面と関連付けることで、上述した特徴及び利点を例示している。以下の説明においては、限定というよりもむしろ説明の目的のために、特定のアーキテクチャ、インターフェース、技術など、特定の詳細が例示のために明らかにされる。しかしながら、当業者に明らかなように、これらの特定の詳細から逸脱した、他の実施形態も、特許請求の範囲の範囲に包含される。さらに、明瞭にする目的のために、周知の装置、回路、及び方法についての詳細な説明は、本発明のシステムの説明を不明瞭にしないために、省略されている。
【００１７】
図面は、例示的な目的のために添付されており、本発明のシステムの範囲を表すものではないことが明確に理解されるべきである。添付図面では、異なる図面において、対応する要素には、対応する参照符号が付されている。
【発明を実施するための最良の形態】
【００１８】
本発明のシステムは、個人使用アイテムと個人使用物との色を合わせるシステム及び方法を提供する。
【００１９】
このような色合わせの特定の例の実施形態について示して説明するけれども、本発明のシステムは、明らかに、他の物品及び目的物にも適用できる。
【００２０】
図１を参照すると、本発明のシステムの例示的な機能的ブロック図を例示している。
【００２１】
色選択装置１０は、複数の要素を具備しており、例えば、ユーザインターフェース１２と、色選択装置１０を制御するためのマイクロコントローラ、マイクロプロセッサなどの制御装置１４と、例えば、赤、緑、及び青（ＲＧＢ）に反応する色センサ１６と、色変化材料１８と、太陽電池２２を含む電源２０とを備えている。図示の通り、制御装置１４は、ユーザインターフェース１２に機能的に接続され、色選択装置１０とのユーザの相互作用を容易にしている。また、制御装置は、色センサ１６と、色変化材料１８と、電源２０とに機能的に接続され、本発明のシステムを動作させる。
【００２２】
ユーザインターフェース１２は、複数の異なる装置を具備し、ユーザは、色選択装置１０に情報を入力する。様々な実施形態において、ユーザインターフェース１２は、例えば、熱センサ、運動センサ、光センサを含む。
【００２３】
図２は、本発明のシステムの実施形態を示しており、個人使用アイテムは、サングラス３０であって、適切なモールド成形技術によって内部に組み込まれた色選択装置１０を有している。サングラス３０は、プラスチックなどのほぼ半透明又は透明な材料のハウジングから構成されている。ハウジングは、一対のアーム３２と、従来のやり方でアーム３２に接続された（例えば、蝶番付けされた）前部フレーム３４と、一対のレンズ３６とを備えている。色変化材料１８は、前部フレーム３４の前部上部部分に沿って、及びアーム３２に沿って、眼鏡３０の他の要素を不明瞭にしないために、以下に述べる目的のために配置されている。実際の構造においては、色変化材料は、本発明のシステムから逸脱せずに、多数の領域に、多数のやり方で、配置される。例えば、色変化材料は、ＲＧＢのＬＥＤの３個組の帯の形態で、選択された部分に沿って、フレーム及びアーム３２に埋設される。
【００２４】
例示的には、ユーザインターフェース１２は、光センサ３８である。１つの実施形態においては、色選択装置１０をオンにするために、ユーザは、例えば、３秒間程度の所定時間だけ、光センサ３８の上に指を置く。通常のオフのモード、すなわち、エネルギー保存状態においては、色選択装置１０は、ある種の項目をオン状態に維持し、ユーザインターフェース１２は、それらの１つである。ユーザが、ユーザインターフェース３８を介して、色選択装置１０がオンになるように命令すると、後述するように、所定の動作が行われる。
【００２５】
別の実施形態においては、ユーザインターフェース１２は、熱センサ４０であって、アーム３２の１つに配置されると共に、アームの内側部分に配置され、ユーザが眼鏡を着用したとき、ユーザの皮膚に近接し、従って、熱センサ４０は、ユーザが与えた熱を検出するように配置されている。この実施形態においては、熱センサ４０によってユーザから検出された熱は、ユーザがサングラス３０を着用していることを指示し、制御装置１４によって決定されるように、色選択装置１０を“オン”状態に保つように動作する。制御装置１４は、複数の情報源を利用して、色選択装置１０のために、強度、色、色相、飽和など、適切な状態又は視覚表示特性を決定する。例えば、眼鏡３０を着用したユーザが、暗い部屋に入った場合、光センサ３８は、所定の時間の後に、制御装置１４に信号を送出し、色選択装置１０をオフにせよと指示するが、熱センサ４０は、制御装置１４に信号を送出し、ユーザが依然としてサングラス３０を着用していることを指示する。従って、制御装置１４は、色選択装置１０のパワーダウンだけを行い、中間的モードにして、エネルギーを保存する。例えば、色変化材料１８は、オフモードにされて、暗い環境においてはエネルギーを保存し、又は、逆に、色変化材料１８は、別の色特性をもった高強度モードにされて、暗い環境でユーザが歩くのを容易にする。別の実施形態においては、ユーザインターフェース１２は、運動センサであって、サングラス３０が身に付けられていることを指示し、例えば、いつ、オフ状態又は低電力状態に入るのかを確認する助けになる。さらに別の実施形態においては、ユーザインターフェース１２は、眼鏡に配置された物理的スイッチ（例えば、小型）である。スイッチは、ユーザが色選択装置をオン／オフするための別の方法を提供する。
【００２６】
電源２０は、小型高出力のボタン型電池２０である。さらに別の実施形態においては、追加的な及び／又は代替的な電源は、太陽電池２２であって、図２に示すように、前部フレーム３４の上部に沿って配置されている。電池２０と太陽電池２２との両方が存在するような１つの実施形態においては、充分な光が存在して可能な場合には、太陽電池２２は電池２０を再充電する。さらに、太陽電池に代えて又は太陽電池と併せて、ユーザの運動に応答してエネルギーを発生させる運動発電機を配置してもよい。さらに別の追加的な電源は、外部電池（図示せず）であって、例えば、入力端子４２を介して、サングラス３０に接続される。
【００２７】
色センサ１６はフレーム３４の前部に配置して示されているけれども、明らかに、色センサ１６は、いずれかのアーム３２など、別の適当な位置に配置してもよい。
【００２８】
サングラス３０の色を、色付きドレスなど個人使用物の色と合わせるために、色センサ１６は、所定の時間だけ色付きドレスに近接して配置され、ドレスの色情報を色選択装置１０に入力する。色情報を得るのに必要な持続時間は、ユーザインターフェース３８の動作を介してプログラミング可能になっている。例えば、持続時間は、短い間隔に設定されて、色の合致／補足／など、頻繁な変化を可能にしてもよい。また、持続時間は、長い間隔に設定されて、不用意に、色の変化が生じないことを確保してもよい。別の実施形態においては、色センサ１６は、ユーザインターフェース３８の動作を介して、色情報を捕捉するためのモードに設定してもよい。１つの実施形態においては、色センサ１６は、ＲＧＢセンサを具備し、色変化材料１８の色を、個人使用物に合わせる。同一の又はさらに別の実施形態においては、ユーザは、色変化材料１８が、個人使用物の色を補う、別の色を呈することを望む。例えば、黄色のサングラス３０は、緑のドレスを補足する。赤いサングラスは、黒いドレスなどを補足する。
【００２９】
１つの実施形態においては、メモリ２４は、制御装置１４に接続され、前述したような、動作のために制御装置１４によって実行されるべき動作命令など、命令及びデータを格納する。メモリ２４は、色相関関係など、色の関連情報を格納してもよい。このように、色選択装置１０は、この問題を解決する方法を提供するために、ユーザが、色選択装置１０と連絡して、個人使用物について検出された色に関連（例えば、類似、相補など）した、１又は複数の代替的な色を選択できるようにする。例えば、ユーザは、ユーザインターフェース３８と相互作用するために、所定の時間内に１回又は複数回、光センサ３８を覆い又は覆いを外し、所望の関連色を指示する。この情報に基づいて、眼鏡３０のフレームに埋設された色変化材料１８は、所望の関連色に色を変化させる。
【００３０】
さらに別の実施形態においては、制御装置１４は、ユーザが電源をオンにしたとき、又は例えば、色選択装置１０がオフモード又は中間的モードからオンモードに移るとき、最後に選択された色を呼び出して、この色に復帰する。また、ユーザインターフェース１２は、選択及びプリセットの設定に利用される。
【００３１】
色変化材料１８のタイプには、電子クロミック材料、熱クロミック材料、電子インク、又はＬＥＤタイプの源が含まれる。１つの実施形態においては、色変化材料は、１又は複数のＲＧＢのＬＥＤの３個組であって、容易に色の選択枝を多様にする。ＲＧＢの３個組は、眼鏡３０の半透明のフレームにおける１又は複数の部分に埋設され、眼鏡の色の変化を容易にする。サングラス３０に、熱クロミック材料が使用されている実施形態においては、適当な抵抗器が組み込まれる。抵抗材料は、眼鏡の透明なプラスチックフレームに具備され、電流源は、アーム３２の端部及び前部フレーム３４の下側角部など、いくつかの遠位部分に配置される。このように、電流は、工程において上部前部で沈むように流れて、熱クロミック材料の色を変化させる。
【００３２】
別の実施形態においては、色変化材料は、電子クロミック材料である。この不導体材料の薄い層は、２つの導電電極の間に組み込まれる。制御装置１４によって適当な電圧を加えると、電子クロミック材料は、所望の色に変化する。中間的モード又はオフモード中には、開放回路状態によって、電荷は電極上に容易に維持される。
【００３３】
添付図面を参照して、本発明のシステムの実施形態について説明したが、本発明のシステムは正確な実施形態に限定されることはなく、特許請求の範囲に定められた範囲及び精神から逸脱せずに、当業者は様々な変形及び改変を施せることを理解されたい。
【００３４】
特許請求の範囲の解釈においては、以下のことを理解すべきである。
ａ）  “備える”という単語は、所定の請求項に列挙された以外の他の要素又は段階が存在することを排斥しない。
ｂ）  複数であることが特定されていない名詞が、複数あることを排斥ない。
ｃ）  請求項における参照符号は、請求項の範囲を制限しない。
ｄ）  いくつかの“手段”は、同一の項目又はハードウェア又は構造に実現されたソフトウェア又は機能によって表される。
ｅ）  あらゆる開示された要素は、ハードウェア部分（例えば、個別部品回路及び集積回路を含む）と、ソフトウェア部分（例えば、コンピュータプログラム）と、これらの組合せから構成される。
ｆ）  ハードウェア部分は、アナログ部分とデジタル部分との一方又は両方から構成される。
ｇ）  あらゆる開示された装置又はその一部分は、特別に言及されない限り、一緒に組み合わせ、又は、さらなる部分に分割してもよい。
ｈ）  特別に指示されない限り、動作又はステップの特定の順番は必要とされない。
【図面の簡単な説明】
【００３５】
【図１】図１は、本発明のシステムによる色選択装置を示した機能的なブロック図である。
【図２】図２は、本発明のシステムの実施形態による、サングラスである。
【図１】
2009521009.tif 000002
【図２】
2009521009.tif 000003
【国際調査報告】
2009521009.tif 000004
2009521009.tif 000005
2009521009.tif 000006